(57)【特許請求の範囲】
【請求項１】
電源を、１つ以上の発光ダイオードを有するランプに結合する装置であって、
前記電源から第１の電圧信号及び第１の電流信号を受け取る第１の部分であって、前記第１の電圧信号及び前記第１の電流信号のうちの少なくとも一方における第１の振幅減少を検出する検出部を有している第１の部分と、
前記ランプに第２の電圧信号及び第２の電流信号を供給する第２の部分であって、前記検出部での検出結果に応じて、前記第２の電圧信号及び前記第２の電流信号の少なくとも一方に第２の振幅減少を付与する付与部を有する第２の部分と、
を有する装置。
【請求項２】
前記第１の振幅減少が前記第１の電圧信号の振幅減少であり、前記第２の振幅減少は前記第２の電流信号の振幅減少である、請求項１に記載の装置。
【請求項３】
結果として前記電源の出力電力に生じる前記第１の振幅減少が、減少され、結果として前記出力電力に生じる前記第２の振幅減少が、更に減少される、請求項１に記載の装置。
【請求項４】
前記検出部は、前記第１の電圧信号及び前記第１の電流信号の少なくとも一方の振幅をしきい値と比較する比較部を有すると共に、比較結果に応じて、制御信号を生成する生成部を有し、
前記付与部は、前記制御信号に応じて、前記第２の電圧信号及び前記第２の電流信号の前記少なくとも一方を制御する回路を有する、
請求項１に記載の装置。
【請求項５】
前記第１の振幅減少の第１の継続期間は、前記第２の振幅減少の第２の継続期間以下の長さである、請求項１に記載の装置。
【請求項６】
前記検出部は、前記前記第１の電圧信号及び前記第１の電流信号の前記少なくとも一方における、前記第１の振幅減少とは異なる更なる第１の振幅減少を検出し、
前記付与部は、更なる検出結果に応じて、前記第２の振幅減少とは異なる更なる第２の振幅減少を前記第２の電圧信号及び前記第２の電流信号の前記少なくとも一方に付与する、
請求項１に記載の装置。
【請求項７】
前記検出部は、前記前記第１の電圧信号及び前記第１の電流信号の前記少なくとも一方における前記第１の振幅減少と異なる更なる第１の振幅減少を検出し、
前記付与部は、更なる検出結果に応じて、更なる第２の振幅減少を、前記第２の電圧信号及び前記第２の電流信号の前記少なくとも一方に付与し、前記第２の振幅減少の第２の継続期間は、更なる第２の振幅減少の更なる第２の継続期間とは異なる、
請求項１に記載の装置。
【請求項８】
前記第１の振幅減少が、前記検出部によって検出されることができる第１の勾配を有している、請求項１に記載の装置。
【請求項９】
前記第２の振幅減少が、前記付与部によって付与されることができる第２の勾配を有している、請求項１に記載の装置。
【請求項１０】
前記検出部は、時間間隔当たりの前記第１の振幅減少を検出し、
前記付与部は、前記第１の振幅減少が振幅しきい値よりも長い場合及び／又は前記時間間隔が時間間隔しきい値よりも短い場合にのみ、前記第２の振幅減少を付与する、
請求項１に記載の装置。
【請求項１１】
前記第１の部分は、メイン電圧信号及びメイン電流信号を前記第１の電圧信号及び前記第１の電流信号に整流する整流器と、抵抗の第１の直列回路と、ダイオード及びコンデンサの第２の直列回路とを有しており、前記整流器の出力は、前記第１の直列回路及び前記第２の直列回路の入力に結合されており、前記第１の直列回路の出力は、前記検出部の入力に結合されており、
前記第２の部分は、前記検出部の出力に結合されている制御入力を有し、前記第２の直列回路の出力に結合されている入力を有していると共に、前記ランプに結合されている出力を有している、
請求項１に記載の装置。
【請求項１２】
前記ランプ及び／又は電源を更に有している請求項１に記載の装置を有するデバイス。
【請求項１３】
電源を、１つ以上の発光ダイオードを有するランプに結合する方法であって、
前記電源から受け取られる第１の電圧信号及び第１の電流信号のうちの少なくとも一方における第１の振幅減少を検出する検出ステップと、
検出結果に応じて、第２の振幅減少を、前記ランプに供給されるべき前記第２の電圧信号及び前記第２の電流信号の少なくとも一方に付与するステップと、
を有する方法。
【請求項１４】
電源を、１つ以上の発光ダイオードを有するランプに結合する装置のためのプログラムであって、
前記電源から受け取られた少なくとも一方の第１の電圧信号及び第１の電流信号のうちの少なくとも一方における第１の振幅減少を検出する機能と、
検出結果に応じて、第２の振幅減少を、前記ランプに供給されるべき前記第２の電圧信号及び前記第２の電流信号の少なくとも一方に付与する機能と、
を有するプログラム。
【請求項１５】
請求項１４に記載のプログラムを有している媒体。
【発明の詳細な説明】
【技術分野】
【０００１】
本発明は、電源をランプに結合する装置に関し、装置を有するデバイス、方法、コンピュータプログラム及び媒体にも関する。
【０００２】
このような装置の例は、ランプのドライバ及びランプのインターフェースである。このような装置の例は、ランプ及び電源である。
【背景技術】
【０００３】
米国特許第２００７／０２６２７６５Ａ１号は、電気的な光源の輝度を一定に保持するために、パルス幅変調によって前記電気的な光源を制御する方法を開示している。
【発明の概要】
【発明が解決しようとする課題】
【０００４】
本発明の目的は、電源をランプに結合する装置であって、自己調光機能を備える簡単な構造を有する装置を提供することにある。
【０００５】
本発明の他の目的は、デバイス、方法、コンピュータプログラム及び媒体を提供することにある。
【課題を解決するための手段】
【０００６】
本発明の第１の見地によれば、電源を、１つ以上の発光ダイオードを有するランプに結合する装置であって、
−  前記電源からの第１の電圧信号及び第１の電流信号を受け取るための第１の部分であって、前記第１の電圧信号及び前記第１の電流信号のうちの少なくとも一方における第１の振幅減少を検出する検出部を有する第１の部分と、
−  前記ランプに第２の電圧信号及び第２の電流信号を供給するための第２の部分であって、検出結果に応じて、前記第２の電圧信号及び前記第２の電流信号のうちの少なくとも一方に第２の振幅減少を導入する導入部を有する第２の部分と、
を有する装置が提供される。
【０００７】
前記第１の部分は、例えば、第１回路（回路の第１の部分）であり、電源から第１の電圧信号及び第１の電流信号を受け取る。この第１の部分は、前記第１の電圧信号及び前記第１の電流信号の少なくとも一方における振幅減少を検出する検出部を有している。前記第２の部分は、例えば、第２の回路（前記回路の第２の部分）であり、第２の電圧信号及び第２の電流信号を前記ランプに供給する。この第２の部分は、検出結果に応じて、第２の振幅減少を前記第２の電圧信号及び前記第２の電流信号の少なくとも一方に導入する導入部を有する。結果として、前記第１の部分は、前記電源によってもたらされる第１の調光状態を検出し、前記第２の部分は、検出された前記第１の調光状態を有する前記第１の部分に応じて、第２の調光状態を導入する。
【０００８】
前記第１の部分及び前記第２の部分のおかげで、当該装置は、簡単な構造である。前記第２の調光状態は、前記第１の調光状態に応じて導入されると共に当該装置に自己調光機能を与える更なる調光状態である。
【０００９】
１つ以上の発光ダイオード（例えば、有機発光ダイオード、無機発光ダイオード及び／又はレーザー発光ダイオード）を有するランプを使用することにより、このランプは、他の種類のランプと比較して、前記振幅減少に対する感度があまり高くない。前記ランプは、寿命時間及び保守を犠牲にすることなく、容易に調光されることができる。前記ランプは、再び公称電力が供給される場合、直接的に通常の動作に戻る。更に、このようなランプのルーメン効率は、大部分は、公称電流よりも低い電流に対して上昇することに留意されたい。例えば、幾つかの発光ダイオード製品の場合、最良の性能は、公称電力の約１／４において測定される。このことは、実際には、電力における減少が、結果として、光束の小さい減少をもたらすことを意味している。
【００１０】
前記第２の振幅減少は、前記第１の振幅減少及び／又は時刻のような他のデータに依存して、固定された振幅減少であっても良く、又は柔軟な振幅減少であっても良い。
【００１１】
一実施例によれば、前記装置は、前記第１の電圧信号の振幅減少である前記第１の振幅減少と、前記第２の電流信号の振幅減少である前記第２の振幅減少とによって規定される。従って、好ましくは、前記電源からの前記第１の電圧信号の振幅減少が、検出され、これに応じて、前記ランプに対して予定されている前記第２の電流信号の振幅減少が、導入される。
【００１２】
一実施例によれば、前記装置は、結果として減少される前記電源の出力電力を生じる前記第１の振幅減少と、結果として更に減少される前記出力電力を生じる前記第２の振幅減少とによって規定される。従って、好ましくは、前記電源が、減少されたレベルにおいて電力を供給する場合、前記装置及び前記ランプの組み合わせは、グリッド安定性を保持するように、前記電源から更に減少されたレベルにおける電力を必要とする。
【００１３】
一実施例によれば、当該装置は、
−  前記第１の電圧信号及び前記第１の電流信号の少なくとも一方の振幅をしきい値と比較する比較部と、比較結果に応じて、制御信号を生成する生成部とを有する検出部と、
−  前記制御信号に応じて、前記第２の電圧信号及び前記第２の電流信号の前記少なくとも一方の振幅を制御する回路を有する導入部と、
を有することを特徴とする。
【００１４】
この比較部は、前記第１の電圧信号及び前記第１の電流信号の前記少なくとも一方のアナログ振幅値をアナログのしきい値と比較するアナログ比較器を有していても良く、又は前記第１の電圧信号及び前記第１の電流信号の前記少なくとも一方のデジタル振幅値をデジタルしきい値と比較するデジタル比較器を有していても良い。前記生成部は、比較結果に応じて、アナログ制御信号を生成するアナログ生成器を有していても良く、又は比較結果に応じて、デジタル制御信号を生成するデジタル生成器を有していても良い。前記導入部は、前記第２の電圧信号及び前記第２の電流信号の前記少なくとも一方の振幅を制御するアナログ回路を有するアナログ導入部であっても良く、又は前記第２の電圧信号及び前記第２の電流信号の前記少なくとも一方の振幅を制御するデジタル回路を有するデジタル導入部であっても良い。このアナログ部は、各々、１つ以上のチップの一部を形成することができ、このデジタル部は、各々、１つ以上のプロセッサの一部を形成することができる。アナログ／デジタル変換器及びデジタル／アナログ変換器が、導入される必要があり得る。アナログ回路は、トランジスタ、サイリスタ及び／又はトライアックのような、半導体回路を有し得る。デジタル回路は、場合によっては、アナログ回路が後続する論理回路を有し得る。
【００１５】
一実施例によれば、当該装置は、前記第１の振幅減少の第１の継続期間が前記第２の振幅減少の第２の継続期間以下の長さであることを特徴とする。前記第２の振幅減少の前記第２の継続期間は、固定されている継続期間であっても良く、又は前記第１の継続期間、前記第１の振幅減少及び／又は他のデータ（例えば、時刻）に依存する、柔軟な継続期間であっても良い。
【００１６】
一実施例によれば、前記装置は、
−  前記検出部が、前記第１の電圧信号及び前記第１の電流信号の前記少なくとも一方における、前記第１の振幅減少とは異なる更なる第１の振幅減少を検出し、
−  前記導入部は、この更なる検出結果に応じて、前記第２の振幅減少とは異なる更なる第２の信号の振幅減少を、前記第２の電圧信号及び前記第２の電流信号の前記少なくとも一方に導入する、
ことを特徴とする。
【００１７】
前記検出部は、前記第１の電圧信号及び前記第１の電流信号の前記少なくとも一方における異なる第１の振幅減少を検出することができ、前記導入部は、前記第１の電圧信号及び前記第１の電流信号の前記少なくとも一方における異なる第１の振幅減少の検出に応じて、対応する異なる第２の振幅減少を前記第２の電圧信号及び前記第２の電流信号の前記少なくとも一方に導入することができることができる。この場合、異なる第１の振幅減少は、結果として、異なる第２の振幅減少をもたらす。
【００１８】
一実施例によれば、当該装置は、
−  前記検出部は、前記第１の電圧信号及び前記第１の電流信号の前記少なくとも一方における、前記第１の振幅減少とは異なる更なる第１の振幅減少を検出し、
−  前記導入部は、この更なる検出結果に応じて、更なる第２の振幅減少を前記第２の電圧信号及び前記第２の電流信号の前記少なくとも一方に導入し、前記第２の振幅減少の第２の継続期間は、前記更なる第２の振幅減少の更なる第２の継続期間とは異なる、
ことを特徴とする。
【００１９】
前記検出部は、前記第１の電圧信号及び前記第１の電流信号の前記少なくとも一方における異なる第１の振幅減少を検出することができ、前記導入部は、前記第１の電圧信号及び前記第１の電流信号の前記少なくとも一方における対応する異なる第１の振幅減少の検出に応じて、対応する第２の振幅減少を前記第２の電圧信号及び前記第２の電流信号の前記少なくとも一方に導入することができ、それぞれの第２の振幅減少は、対応する異なる第２の継続期間を有している。この場合、異なる第１の振幅減少は、結果として、異なる第２の継続期間を有する第２の振幅減少をもたらす。
【００２０】
一実施例によれば、当該装置は、前記第１の振幅減少が、前記検出部によって検出されることができる第１の勾配を有することを特徴とする。このような第１の勾配は、時間間隔当たりの前記第１の振幅減少の大きさ（例えば、固定された時間間隔当たりの前記第１の振幅減少の検出された大きさ、検出された時間間隔当たりの前記第１の振幅減少の固定された大きさ、又は検出された時間間隔当たりの前記第１の振幅減少の検出された大きさ）を規定する。この第１の勾配は、前記第１の振幅減少に関して更なる情報を与えることができる。
【００２１】
一実施例によれば、前記装置は、第２の振幅減少は、前記導入部によって導入されることができる第２の勾配を有することを特徴とする。このような第２の勾配は、例えばは、時間間隔当たりの前記第２の振幅減少の大きさを規定し、前記第１の勾配に依存しても良く又はしなくても良い。
【００２２】
勾配又は勾配関数が、マージン内の束変化を保持するのを助けることができる時間上の自動的な振る舞いを得るように使用されることができる。
【００２３】
一実施例によれば、当該装置は、
−  前記検出部が、時間間隔当たりの前記第１の振幅減少を検出し、
−  前記導入部は、前記第１の振幅減少が振幅しきい値よりも大きい場合及び／又は前記時間間隔が時間間隔しきい値よりも短い場合にのみ、前記第２の振幅減少を導入する、
ことを特徴とする。
【００２４】
時間間隔当たりの前記第１の振幅減少（例えば、固定されている時間間隔当たりの前記第１の振幅減少の大きさの検出、前記第１の振幅減少の固定された大きさ当たりの時間間隔の検出、又は時間間隔の検出当たりの前記第１の振幅減少の大きさの検出）を検出することによって、前記第１の振幅減少が振幅しきい値よりも大きい場合及び／又は前記時間間隔が時間間隔しきい値より小さい場合のみ、前記第２の振幅を減少することが可能になっている。この場合、例えば、自動適応を導入するように、正弦位相が記録されることができ、サイクルごと比較されることができる。例えば、ネットワーク制御によるメイン振幅の比較的遅い変化及び通常の揺らぎは、結果として作用をもたらさないが、主として壊れたヒューズ又は過負荷のメインによる比較的速い変化は、正弦サイクル全体が完了する前にさえ、検出可能になる。
【００２５】
一実施例によれば、当該装置は、
−  前記第１の部分が、メイン電圧信号及びメイン電流信号を前記第１の電圧信号及び前記第１の電流信号に整流する整流器を有していると共に、抵抗の第１の直列回路とダイオード及びコンデンサの第２の直列回路とを有しており、前記整流器の出力は、前記第１の直列回路及び第２の直列回路の入力に結合されており、前記第１の直列回路の出力は、前記検出部の入力に結合されており、
−  前記第２の部分は、前記検出部の出力に結合されている制御入力を有していると共に、前記第２の直列回路の出力に結合されている入力を有しており、前記ランプに結合されている出力を有する、
ことを特徴とする。
【００２６】
この実施例は、極めて簡単及び低い費用であるという点において有利である。
【００２７】
本発明の第２の見地によれば、当該装置を有すると共に、前記ランプを更に有する及び／又は電源を更に有するデバイスが、提供される。
【００２８】
本発明の第３の見地によれば、電源と、１つ以上の発光ダイオードを有するランプとをインターフェースする方法であって、
−  前記電源から受け取られる第１の電圧信号及び第１の電流信号の少なくとも一方における第１の振幅減少を検出する検出ステップと、
−  検出結果に応じて、第２の振幅減少を、前記ランプに供給される第２の電圧信号及び第２の電流信号の少なくとも一方に導入する導入ステップと、
を有する方法が提供される。
【００２９】
本発明の第４の見地によれば、電源と１つ以上の発光ダイオードとを有するランプとをインターフェースするコンピュータプログラムであって、
−  電源から受け取られる第１の電圧信号及び第１の電流信号の少なくとも一方における第１の振幅減少を検出する検出機能と、
−  検出結果に応じて、第２の振幅減少を、前記ランプに供給される第２の電圧信号及び第２の電流信号の少なくとも一方に導入する導入機能と、
を有するコンピュータプログラムが、提供される。
【００３０】
第５の見地によれば、前記コンピュータプログラムを記憶して有している媒体が、提供される。
【００３１】
当該デバイス、当該方法、及び当該コンピュータプログラム、及び当該媒体の実施例は、当該装置の実施例に対応している。
【００３２】
洞察は、電源電圧信号の振幅減少が、ランプ電流信号の振幅上昇につながるべきでないというものであり得る。即ち、洞察は、ランプ電力が、減少する電源電圧に対して一定に保持されるべきではないということであり得る。
【００３３】
基本的な思想は、電源信号における第１の振幅減少が検出されるべきであり、検出結果に応じて、第２の振幅減少は、ランプ信号に導入されるべきであるということであり得る。
【００３４】
電源をランプに結合する装置であって、自己調光機能を備える簡単な構造を有する装置を提供するための問題が、解決される。
【００３５】
有利な点は、１つ以上の発光ダイオードを有するランプが、他の種類のランプと比較して、前記振幅減少に対してあまり感度が高くないということである。
【００３６】
本発明のこれらの及び他の見地は、以下に記載される実施例を参照して、明らかになり、説明されるであろう。
【図面の簡単な説明】
【００３７】
【図１】装置の実施例を示している。
【図２】当該装置の検出部の実施例を示している。
【図３】当該装置の導入部の実施例を示している。
【図４】弱いメインの第１のグラフを示している。
【図５】弱いメイン及びモニタ信号の第２のグラフを示している。
【発明を実施するための形態】
【００３８】
図１には、電源２及びランプ３を結合する装置１の実施例が、示されている。ランプ３は、１つ以上の発光ダイオードを有する。ランプ３が２つの以上の発光ダイオードを有する場合、何らかの２つの以上の発光ダイオードが、少なくとも部分的に直列接続及び／又は少なくとも部分的に並列接続において、相互接続されることができる。装置１は、電源２（例えば、メイン）からの第１の電圧信号及び第１の電流信号を受け取る第１の部分を有している。前記第１の部分は、前記第１の電圧信号及び前記第１の電流信号のうちの少なくとも一方における第１の振幅減少を検出する検出部１１を有している。装置１は、第２の電圧信号及び第２の電流信号をランプ３に供給する第２の部分を更に有する。この第２の部分は、検出結果に応じて、第２の振幅減少を、前記第２の電圧信号及び前記第２の電流信号のうちの少なくとも一方に導入する導入部１２を更に有する。
【００３９】
通常、前記振幅減少は、リアルタイムの振幅減少であり、第２の振幅減少の開始（導入）は、有利には、第１の振幅減少の開始（検出）からの比較的短い期間において導入される。代替的には、１つ上の前記振幅減少は、平均振幅減少であっても良い。好ましくは、前記第１の振幅減少は、前記第１の電圧信号の振幅減少であり、前記第２の振幅減少は、前記第２の電流信号の振幅減少である。更に好ましくは、前記第１の振幅減少は、結果として、電源２の出力電力が減少されることをもたらし、前記第２の振幅減少は、結果として、この出力電力が更に減少されることをもたらす。
【００４０】
前記第１の部分は、例えば、前記メインからの電圧信号及び電流信号を前記第１の電圧信号及び前記第１の電流信号に整流する、１つのダイオードを有する又はブリッジにおける４つのダイオードを有する整流器１３を更に有し得る。前記第１の部分は、抵抗１４及び１５の第１の直列回路と、ダイオード１６及びコンデンサ１７の第２の直列回路とを更に有し得る。整流器１３の出力は、第１の直列回路及び第２の直列回路の入力に結合される。前記第１の直列回路（抵抗１４及び１５間の相互接続）の出力は、検出部１１の入力に結合されている。おそらく、更なるコンデンサ１８が、抵抗１５と並列に位置されることができる。
【００４１】
前記第２の部分の導入部１２は、検出部１１の出力に結合されている制御入力を有すると共に、第２の直列回路（ダイオード１６とコンデンサ１７との間の相互接続）の出力と前記整流器の出力とに結合されている入力を有すると共に、ランプ３に結合されている出力を有する。
【００４２】
図２において、装置１の検出部１１の実施例が、示されている。検出部１１は、例えば、前記第１の電圧信号及び前記第１の電流信号の前記少なくとも一方の振幅をしきい値と比較する比較部４１を有することができ、例えば、比較結果に応じて、相互接続４３を介して導入部１２に供給されるべき制御信号を生成する生成部４２を有する。
【００４３】
図３において、装置１の導入部１２の実施例が、示されている。導入部１２は、例えば、前記制御信号に応じて、前記第２の電圧信号及び前記第２の電流信号の前記少なくとも一方の振幅を制御するトランジスタ４５及び相互接続４３に結合されている回路４４を有する回路４４、４５を有している。
【００４４】
部分４１及び４２と回路４３とは、各々、アナログ技術若しくはデジタル技術又は両方の混合に基づくものであり得る。１つ以上のアナログ／デジタル変換器及び１つ以上のデジタル／アナログ変換器が、部分４１及び４２及び回路４３内に設けられることができ、又はこれらの部分４１及び４２の及び回路４３の１つ以上の入力及び１つ以上の出力に付加されることができる。トランジスタ４５の代わりに、他の半導体及びより更に複雑な回路が、使用されることができる。従って、更に複雑な回路による実施例であって、それは、第２の振幅減少を、例えば、前記第１の電圧信号の測定された第１の第１の振幅減少に依存して、結果として振幅変調を生じるパルス幅変調デューティサイクル又は何らかの他の種類の変調スキームによって第２の信号内に導入する実施例も、含まれる。振幅変調のためのこのような変調スキーム又はスイッチングパターンは、例えば、パルス密度変調、周波数変調、位相角変調、位相シフト変調等を含み得る。
【００４５】
抵抗１４及び１５は、分圧器を形成しており、この結果、ピーク電圧はしきい値と比較されることができる。代替的には、このような分圧器は、外へ設けられても良く、検出部１１内に組み込まれても良く、コンデンサ１７の後ろに設けられても良く、又はトランスのような他の回路と置き換えられても良い。更に代替的には、ピークの電圧の代わりに、例えば、平均電圧のような、他の電圧が、前記しきい値と比較されても良い。ダイオード１６は、デカップリング機能を有しており、代替的なデカップリング回路が、使用されても良い。検出部１１は、代替的に、検出目的のための計算を実施しても良く、この場合、計算の結果は、当該検出結果に代わるものであっても良く、又は前記検出結果示すものであっても良い。導入部１２は、発光ダイオードドライバを有することができる。検出部１１は、整流器１３を介して給電されるが、代替的には、電池又は他の供給源を介して給電されることができる。電源２は、代替的には、前記メインによって給電されるＡＣ／ＤＣコンバータ、電池又は他の電池若しくはソーラー動作システムによって給電されるＤＣ／ＤＣコンバータのような、電源であっても良い。
【００４６】
図４において、（弱い）メインの第１のグラフが示されており、図５において、（弱い）メイン及びモニタ信号の第２のグラフが示されており、両方の電圧は、時間に対して示されている。このモニタ信号は、例えば、検出部１１に供給されるべき信号である。例えば、通常のモニタ信号は、約２０Ｖへの整流の後の１００Ｈｚであり得る。これが１９．２Ｖ未満に降下した場合、当該システムは、弱いメインを検出し、輝度を減少するようにランプ３に命令する。
【００４７】
固定されている調光レベルまでの瞬間的な減少又は前記メイン電圧の減少に関連した滑らかな減少のような、幾つかの一般的な方法が、利用されることができる。弱いグリッドにおける輝度がフリッカを生じるのを防止するように、当該調光は、前記メイン電圧が強くなっている場合、柔らかにインクリメントされるべきである。例えば、当該調光は、メイン期間当たり予め規定されているパーセンテージだけ増大するべきである。
【００４８】
複合的な制御方式を実行するために、デジタルコントローラのアナログ／デジタル変換器によって電圧を監視するのが更に適切であり得る。多くの新規なランプにおいて、μＣは、調光、色調節及びリモコン復号化のためにいずれにしろ使用され得る。これらのランプにおいて、前記μＣは、前記メインの波形を分析し、上述で概略を示されたような調光方式を実行するのに有益に使用されることができる。
【００４９】
改善された実施例は、更に、異なる手段によるメインの急降下の異なる度合いに反応しても良い。例えば、非常に深いディップの場合、電力消費は、前記メインが更に容易に通常に戻ることができるように、短いフラクションのために完全にオフに切り換えられることができる。固定されたしきい値の代わりに、コンスタントに前記平均電圧を測定し、この測定された平均電圧に対して前記しきい値を動的に調整する平均化手段を有することは、更に適切であり得る。
【００５０】
デジタル制御装置が使用される場合、幾つかのメイン期間の波形を記憶し、前の測定と同期をとって実際の値を比較することが可能であり得る。このようにして、逸脱は、直ちに認識されることができる。この目的のために、前記μＣは、古い値を記憶するための幾らかの記憶容量を必要とすることができる。更なるコンデンサ１８は、直ちに逸脱を検出することができるように、小さい値を与えられることができる。このようにして、ランプ３は、前記メイン電圧が、或る限界未満に低下する前に、自身の電力を減少させることさえできる。
【００５１】
調光値の変化に対する時間の勾配（おそらく上下状況に対して異なる）は、入力が即座の（更に、可視的な）反応を求めない限り、ランプ輝度における得られる変化をできるだけ繊細にするのを可能にする。
【００５２】
例えば、電気ＳＳＬバラストのような、これらの種類の装置は、発光ダイオードランプが非中央的に制御された様式におけるメインの変化に対して比較的瞬時に反応することができるので、将来価値のある特別な電力のための有用物によって必要とされるようになり得る。前記ランプのコントローラの更なる労力は、非常に小さいものになり得る。
【００５３】
更なる用途は、前記グリッド電圧を中央に減少することによって、前記発光ダイオードランプの調光を実行することができ得る。この制御方法は、ストリート照明から知られているが、既存の電子的なドライバと動作しない。これらのドライバは、これらの内部電流制御メカニズムによって出力電流を増大させることによって反対に作用するからである。
【００５４】
更なる実施例において、中心の場所において測定する他のコントローラが、使用されることができる（例えば、電力を減少させるために前記ランプに遠隔命令を渡すフロア光制御が位置されている場所）。このことは、必要とされる最小の機能的な束及びランプの分布に依存して、異なるランプが異なる束の減少を得るような仕方において、なされることができる。更なる実施例において、電力局は、電圧を直接的に減少することによって又は（例えば、各フロアにおける）中間の電力コントローラによって調光するように前記ランプに命令する。
【００５５】
要約すると、発光ダイオードランプ３に電源２を結合する装置１は、電源２から第１の電圧信号及び第１の電流信号を受け取る第１の部分と、第２の電圧信号及び第２の電流信号をランプ３に供給する第２の部分とを有している。前記第１の部分は、第１の電圧信号及び第１の電流信号のうちの少なくとも一方（例えば、前記第１の電圧信号）の振幅減少を検出する検出部１１を有しており、前記第２の部分は、検出結果に応じて、第２の振幅減少を第２の電圧信号及び第２の電流信号の少なくとも一方（例えば、前記第２の電流信号）に導入する導入部１２を有する。結果として、前記第１の部分は、電源２によってもたらされる第１の調光状態を検出し、前記第２の部分は、前記第１の調光状態を検出している前記第１の部分に応じて、第２の調光状態を導入し、装置１は、グリッド安定性を保持するための自動調光機能を有する。
【００５６】
本発明は、添付図面及び上述の記載において、詳細に説明及び記載されたが、このような図例及び説明は、説明的なもの又は例示的なものとみなされるべきであり、限定的なものとみなされるべきではなく、本発明は、開示されている実施例に限定されるものではない。例えば、様々な開示されている実施例の異なる部分が新しい実施例として組み合わせられる実施例において、本発明を運用することが可能である。
【００５７】
特許請求の範囲に記載の発明を実施する当業者であれば、図面、本明細書及び添付請求項の研究から、開示されている実施例に対する他の変更も理解し、遂行することができる。「有する」という語は、請求項に記載されていない構成要素又はステップの存在を排除するものではなく、単数形の構成要素は、複数のこのような構成要素を排除するものではない。単一の要素又は他のユニットが、前記請求項に列挙されている幾つかの項目の機能を実現しても良い。特定の手段が、相互に異なる従属請求項において引用されているという単なる事実は、これらの手段の組み合わせが有利になるように使用されることができないと示すものではない。コンピュータプログラムは、例えば、他のハードウェアと一緒に又は他のハードウェアの一部として供給される光学記憶装置媒体又はソリッドステート媒体のような適切な媒体において記憶される／配布されても良いが、インターネット又は他の有線若しくは無線通信システムを介するような、他の形態において配布されても良い。添付請求項における如何なる符号も、この範囲を制限するものとして解釈されてはならない。
【００５８】
符号のリスト
１  装置
２  電源
３  ランプ
１１  検出部
１２  第１の部分
１３  整流器
１４  抵抗
１５  抵抗
１６  ダイオード
１７  コンデンサ
１８  他のコンデンサ
４１  比較部
４２  生成部
４３  相互接続
４４  回路
４５  トランジスタ
【図１】
0005461528.tif 000002
【図２】
0005461528.tif 000003
【図３】
0005461528.tif 000004
【図４】
0005461528.tif 000005
【図５】
0005461528.tif 000006